(57)【要約】【課題】パッケージ全体を確実に開封することのできる包装容器を提供することである。【解決手段】前記課題は、容器ポケットの開口部の周辺にフランジを有する２つ以上の個別収納部が、一列に連結された収納部本体、及び収納部本体の上面を覆う蓋材を含み、前記個別収納部の開口部周囲と蓋材とが、容器ポケットを封止するようにシールされている包装容器であって、（１）前記蓋材が直線カット性ラミネートフィルムであり、（２）前記連結部フランジに対応する連結部蓋材の一方の端部に切込みを有し、他方の端部に切込みを有さず、（３）前記連結部蓋材にミシン目を有さず、そして（４）前記切込みを有する側の周辺部蓋材に各容器ポケットの上面の蓋材を個別に開封する個別開蓋用耳部を有し、前記切込みを有さない側の周辺部蓋材に端部に全ての容器ポケットの上面の蓋材をまとめて開く全体開蓋用耳部を有する、ことを特徴とする包装容器によって解決する。【選択図】図１
2015107818.tif 000002
【特許請求の範囲】
【請求項１】
容器ポケットの開口部の周辺縁部に周辺部フランジを有する２つ以上の個別収納部が、周辺部フランジの一部を形成する連結部フランジによって一列に連結された収納部本体、及び収納部本体の上面を覆う蓋材を含み、前記個別収納部の周辺部フランジにおける開口部周囲とそれに対応する蓋材とが、少なくとも容器ポケットを封止するようにシールされている包装容器であって、
（１）前記蓋材が直線カット性ラミネートフィルムであり、
（２）前記連結部フランジに対応する連結部蓋材の一方の端部に切込みを有し、他方の端部に切込みを有さず、
（３）前記連結部蓋材にミシン目を有さず、そして
（４）前記切込みを有する側の周辺部蓋材に各容器ポケットの上面の蓋材を個別に開封する個別開蓋用耳部を有し、前記切込みを有さない側の周辺部蓋材に端部に全ての容器ポケットの上面の蓋材をまとめて開く全体開蓋用耳部を有する、
ことを特徴とする包装容器。
【請求項２】
前記切込みが、１つの開封しようとする個別収容部の個別開蓋用耳部の頂点と、隣接する開封しない個別収容部のシール部を最短距離で結ぶ直線に至る長さを有する、請求項１に記載の包装容器。
【請求項３】
隣接する個別収納部のシールが連結していない、請求項１又は２に記載の包装容器。
【請求項４】
隣接する個別収納部のシールが２つ以上の個別収納部の間の一部又は全部で連結している、請求項１又は２に記載の包装容器。
【請求項５】
前記連結部フランジにミシン目を有する請求項１〜４のいずれか一項に記載の包装容器。
【発明の詳細な説明】
【技術分野】
【０００１】
本発明は、包装容器に関し、より具体的には複数の収納部を有する包装容器において、収納部の一部を個別に開封すること、及び収納部の全部を一度に開封することのできる包装容器に関する。本発明によれば、蓋材にミシン目を有さないために、収納部の全体を確実に開封することができる。
【背景技術】
【０００２】
カレー又はシチューの固形ルウなどを収納する包装容器は、収納部に固形ルウが個別に収納されているものが多い。これは、料理の量に応じて、使用する固形ルウを取り出し、使用しない固形ルウを開封されていない容器ポケットに保存しておくためである。
また、ご飯又は麺類などを収容する冷凍保存用の包装容器においても、収納部に一食分ずつのご飯又は麺類などが収容されている。これらも、一食分ずつ食品を取り出し、残りの食品を開封されていない収納部に保存しておくためである。
【０００３】
調理においては、固形ルウ、ご飯、又は麺類などの収納物を少量ずつ使用する場合と、全部を一度に使用する場合があり、収納部を個別に開封するニーズと、収納部全体を一度に開封するニーズがあった。
しかしながら、従来の多くの包装容器は、収納部を個別に開封するものであるか、全体を一度に開封するものであった。
【先行技術文献】
【特許文献】
【０００４】
【特許文献１】特開２００７−２２６３５号公報
【発明の概要】
【発明が解決しようとする課題】
【０００５】
前記の課題を解決するための包装容器として、特許文献１には、食品パッケージの一方の縁部に、個別の収容部を開封するために部分剥離開始部及び切欠き部を形成し、食品パッケージの他方の縁部に全体の収容部を開封するために全体剥離開始部を設けた食品用パッケージが開示されている（特許文献１）。
しかしながら、前記食品用パッケージは、各収容部を個別に開封できるように、前記切欠き部から他方の縁部に向けて、蓋部に蓋切断用切込線（例えば、ミシン目の切込線、又は溝状の切込線）を有している。この切込線は、収容部の蓋部を個別に剥離するには有効であるが、パッケージ全体を全体剥離開始部から開封しようとする場合、この蓋切断用切込線の始めもしくは途中から意図せず切断が開始され、パッケージ全体が開封されないことがある。また、部分剥離開始部より個別に開封する場合には、蓋材の性質によっては、切込線の途中から意図しない方向に裂け、開封するつもりのない収容部が開いてしまうこともある。更に、収容部を切り離すために収容部分離用切込線が設けられている場合には、確実に個別に開封する方法として、はじめに個々の収容部を収容部ごと切り離してから蓋材を開封する方法があるが、収容部分離用切込線が硬かったりする場合には、収容部がその切込線を切欠に意図しない方向に裂け、同様に開封するつもりのない収容部が開いてしまうという問題もあった。
従って、本発明の目的は、パッケージ全体を確実に開封することのできる包装容器を提供することである。
【課題を解決するための手段】
【０００６】
本発明者は、収納部を個別に開封することができ、且つ収納部全体を確実に開封することのできる包装容器について、鋭意研究した結果、驚くべきことに、蓋材に直線カット性ラミネートフィルムを用い、蓋材にミシン目を設けないことによって、各収納部を個別に開封することが可能であり、且つ収納部全体と確実に開封することのできる包装容器が得られることを見出した。
本発明は、こうした知見に基づくものである。
従って、本発明は、
［１］容器ポケットの開口部の周辺縁部に周辺部フランジを有する２つ以上の個別収納部が、周辺部フランジの一部を形成する連結部フランジによって一列に連結された収納部本体、及び収納部本体の上面を覆う蓋材を含み、前記個別収納部の周辺部フランジにおける開口部周囲とそれに対応する蓋材とが、少なくとも容器ポケットを封止するようにシールされている包装容器であって、（１）前記蓋材が直線カット性ラミネートフィルムであり、（２）前記連結部フランジに対応する連結部蓋材の一方の端部に切込みを有し、他方の端部に切込みを有さず、（３）前記連結部蓋材にミシン目を有さず、そして（４）前記切込みを有する側の周辺部蓋材に各容器ポケットの上面の蓋材を個別に開封する個別開蓋用耳部を有し、前記切込みを有さない側の周辺部蓋材に端部に全ての容器ポケットの上面の蓋材をまとめて開く全体開蓋用耳部を有する、ことを特徴とする包装容器、
［２］前記切込みが、１つの開封しようとする個別収容部の個別開蓋用耳部の頂点と、隣接する開封しない個別収容部のシール部を最短距離で結ぶ直線に至る長さを有する、［１］に記載の包装容器、
［３］隣接する個別収納部のシールが連結していない、［１］又は［２］に記載の包装容器、
［４］隣接する個別収納部のシールが２つ以上の個別収納部の間の一部又は全部で連結している、［１］又は［２］に記載の包装容器、及び
［５］前記連結部フランジにミシン目を有する［１］〜［４］のいずれかに記載の包装容器、
に関する。
【発明の効果】
【０００７】
本発明の包装容器によれば、収納部を個別に開封することができ、且つ収納部全体を確実に開封することができる。
また、本発明の包装容器によれば、蓋材にミシン目を有さないために、包装容器の製造工程を簡略化することができる。
また、ミシン目加工における加工誤差を考慮する必要がなく、連結部フランジの幅を小さくすることができ、その分容器ポケットを大きくすることができ、内容物を多く入れる事ができたり、容器ポケットを大きくしない場合は、収容部全体の大きさを小さくすることができ、包装材料の削減が可能である。
また、連結部フランジに収容部を分離するためのミシン目を有さない場合においては、連結部フランジの剛性が維持され、収容部本体の強度が高まり、包装容器の撓みを抑えることができる。
更に、連結部フランジに収容部を分離するためのミシン目を有する場合においては、蓋材にミシン目を有さないことから、連結部フランジのミシン目の分離強度を、蓋材にミシン目を有する場合よりも弱めても、包装容器全体の強度が維持され、そのためさらに、個別の収容部の分離も容易になるという効果も発揮する。
また、連結部フランジに収容部を分離するためのミシン目を有することで、収容物が食品、特に油分及び／又は粘着性の強い食品、あるいは香りの強い食品であった場合には、未使用分収納部のみを保管することで、衛生的に保管することが可能となる効果も発揮する。
【図面の簡単な説明】
【０００８】
【図１】本発明の１つの実施態様を示した蓋材側からの斜視図である。
【図２】本発明の１つの実施態様を示した蓋材側からの斜視図である。
【図３】本発明の１つの実施態様を示した収納部本体側からの斜視図である。
【図４】本発明の１つの実施態様を示した収納部本体側からの斜視図である。
【図５】本発明の個別収納部を一列に連結した包装容器を、複数（３つ）連結した実施態様を示す上方からの平面図である。
【図６】本発明の個別収納部を一列に連結した包装容器を、複数（３つ）連結した実施態様を示す底面図である。
【図７】直線カット性を測定する１つの試験方法を示す図である。
【図８】隣接する個別収容部のシールが結合していない場合における、切込み、個別開蓋用耳部、及びシール部の位置関係を示した図である。
【図９】隣接する個別収容部のシールが結合している場合における、切込み、個別開蓋用耳部、及びシール部の位置関係を示した図である。
【発明を実施するための形態】
【０００９】
《包装容器》
本発明の包装容器は、容器ポケットの開口部の周辺縁部にフランジを有する２つ以上の個別収納部が、周辺部フランジの一部を形成する連結部フランジによって一列に連結された収納部本体、及び収納部本体の上面を覆う蓋材を含み、前記個別収納部の周辺部フランジにおける開口部周囲と、それに対応する蓋材とが、少なくとも容器ポケットを封止するようにシールされている包装容器であって、（１）前記蓋材が直線カット性ラミネートフィルムであり、（２）前記連結部フランジに対応する連結部蓋材の一方の端部に切込みを有し、他方の端部に切込みを有さず、（３）前記連結部蓋材にミシン目を有さず、そして（４）前記切込みを有する側の周辺部蓋材に各容器ポケットの上面の蓋材を個別に開封する個別開蓋用耳部を有し、前記切込みを有さない側の周辺部蓋材に端部に全ての容器ポケットの上面の蓋材をまとめて開く全体開蓋用耳部を有する。
【００１０】
本発明の包装容器は、前記の特徴を有することにより、１つの収納部の蓋材を個別に且つ容易に開封することが可能である。また、収納部全体の蓋材を確実に開封することが可能である。
【００１１】
本発明の包装容器の上面からの形状は、蓋材における切込みを有する側の周辺部蓋材と、切込みを有さない側の周辺部蓋材とを特定できる限りにおいて、限定されるものではない。すなわち、個別の収納部を開封するための切込みの存在する蓋材の縁部と、その切込みから直線カット性ラミネートフィルムの直線性に従って切断される蓋材の他方の縁部とが存在する限りにおいて、その形状は限定されるものではないが、例えば長方形、正方形、円形、楕円形、又は菱形を挙げることができる。
【００１２】
本発明の包装容器に包装される物品は、密封包装が好ましいものである限りにおいて、特に限定されるものではないが、食品、又は医薬品等を挙げることができる。食品としては、カレー又はシチューの固形ルウ等の油分の多い食品、ご飯若しくは麺類等の粘着性が強い無菌パック食品、又はコロッケ若しくはたこ焼きなどの冷凍食品を挙げることできる。医薬品としては、例えば錠剤、カプセル剤、又は散剤などを挙げることができる。
【００１３】
（個別収納部）
個別収納部は、容器ポケット及びその容器ポケットの開口部の周辺縁部のフランジを含む。容器ポケットはカレー又はシチューの固形ルウなどを収納する部分であり、収納するものに応じて、大きさ及び形状を決定することができる。１つの個別収納部に含まれる容器ポケットは通常１つであるが、それに限定されるものではなく、仕切板やシールしないフランジを設けて、２つ以上の容器ポケットを含むことができる。
【００１４】
容器ポケットの大きさ及び形状は、前記のように限定されるものではないが、例えば上面からの形状としては、長方形、正方形、半円形、半楕円形、三角形、円形、五角形、又は六角形を挙げることができる。
収納部の大きさ及び形状も、特に限定されるものではないが、上面からの形状としては、長方形、正方形、半円形、半楕円形、又は三角形を挙げることができる。例えば、収納部本体が円形で個別収納部が２つの場合、個別収納部の形状は半円形が好ましい。また、収納部本体が楕円形で個別収納部が２つの場合、個別収納部の形状は半楕円形が好ましい。また、収納部本体が菱形形で個別収納部が２つの場合、個別収納部の形状は三角形が好ましい。
【００１５】
容器ポケットの開口部の周辺縁部の周辺部フランジは、収納部本体においては、容器ポケットと容器ポケットとを連結させる部分においては連結部フランジとも称される。また、収納部本体の周辺部においては、周辺部フランジと称される。
【００１６】
（収納部本体）
本発明の包装容器における収納部本体は、個別収納部が２つ以上連結したものである。収納部本体は、２つ以上の個別収納部が連結部フランジによって連結して形成される。
個別収納部は、連結部フランジによって一列に連結される限りにおいて、限定されるものではない。連結される個別収納部の数は特に限定されるものではないが、例えば、１回で使用する収容物の量及び保管のスペース等から、２〜１０の収納部を連結させることが可能であり、２〜６が好ましい。
【００１７】
収納部本体における周辺部フランジは、収納部本体の周辺部のフランジを意味するものであり、例えば図３及び図４において周辺部フランジ２３で示されている。
一方、収納部本体における連結部フランジは、２つの収納部を連結しているフランジを意味する。図３又は図４に連結部フランジ２２を示しているが、連結部フランジは容器ポケットの間のフランジのみを意味するものではなく、そのフランジから収納部本体の縁部に延びた部分のフランジを含むものである。従って、連結部フランジ２２の端部は、周辺部フランジ２３の一部と重複するものである。
【００１８】
収容部本体の連結部フランジは、限定されるものではないが、ミシン目を有さないものが好ましい（図３）。ミシン目を有さないことによって、収納部本体の強度を向上させることができるからである。
しかしながら、各収納部を分離するためにミシン目を有していてもよい(図４)。ミシン目を有していることにより、開封されて内容物が使用された収納部を、ミシン目から切り離して、先に廃棄することができるからである。
また、開封前に個々の収容部を収容部ごと切り離すこともでき、確実に個別に開封する方法をとることも可能となる。
【００１９】
（蓋材）
本発明の包装容器に用いる蓋材は、（１）直線カット性ラミネートフィルムであり、（２）連結部フランジに対応する連結部蓋材の一方の端部に切込みを有し、他方の端部に切込みを有さず、（３）連結部フランジに対応する連結部蓋材にミシン目を有さず、そして（４）前記切込みを有する側の周辺部蓋材に各容器ポケットの上面の蓋材を個別に開封する個別開蓋用耳部を有し、前記切込みを有さない側の周辺部蓋材の端部に全ての容器ポケットの上面の蓋材をまとめて開く全体開蓋用耳部を有する。
【００２０】
蓋材は、直線カット性ラミネートフィルムである。直線カット性ラミネートフィルムであることにより、蓋材にミシン目を有さないにも関わらず、個別の収納部の蓋材を１つずつ開封することができる。
本発明のラミネートフィルムとは、複数のフィルムを貼り合わせてなるフィルム以外に、基材となるフィルムに、溶解した樹脂を押し出して層を形成したり、又はコート剤を塗布することにより、薄くても実質的に表若しくは裏の層、又は中間層等の一部が違う融点及び／又はバリア性など違う機能を有しているフィルムであってもよい。
直線カット性ラミネートフィルムとは、特定の方向に向けて引き裂きが行われたときに、一定の範囲内で引き裂かれるラミネートフィルムであれば、ラミネートの構成又はその他の機能性を限定されるものではないが、例えば以下のような試験によって特定することもできる。
図７に示すように、ＡＢＣＤの順に時計回りに一周する頂点を有する８０ｍｍ×８０ｍｍの正方形の蓋材を準備する。辺ＡＢの中央の点Ｅに辺ＡＤ及び辺ＢＣに平行な長さ１０ｍｍの切込みを入れる。そして辺ＡＥの中央の点Ｇ、辺ＣＤの中央の点Ｆ、辺ＤＦの中央の点Ｈとし、点ＡＧＨＤにて囲まれる面を固定し、頂点Ｂを点Ａと点Ｃとを結ぶ直線と並行な直線上で点Ｃ２側の方向に５０ｍｍ／秒で引っ張り、点Ｅに入れた切込みをきっかけに蓋材を引き裂く。この場合、蓋材が裂かれる最終分裂点ｆが辺ＣＤ上にあり、且つ点ｆと点Ｆの距離が１０ｍｍ以内であるフィルムを直線カット性ラミネートフィルムと特定することもできる。
なお、直進カット性ラミネートフィルムの直進カット性の方向は、個別収容部の連結方向と垂直な方向である必要があるが、連結部フランジの幅の範囲内で直進カットが行われ、目的通りの個別開封が実施できる範囲においては、前記垂直な方向にずれがあることに問題はない。
【００２１】
（切込み）
前記蓋材は、連結部フランジに対応する連結部蓋材の一方の端部に切込みを有し、他方の端部に切込みを有さない。連結部蓋材は、個別収納部を連結する連結部フランジに対応する蓋材の部分を意味する。換言するならば、連結部蓋材は、蓋材の一方の縁部から、直線カット性フィルムの直線性に沿って、対抗する蓋材の縁部に延びたものである。連結部蓋材は、その一方の端部に切込みを有しており、この切込みが引き金となり、直線カット性を有する蓋材が対抗する蓋材の縁部に向かって直線的に切断される。この切込みは、個別収納部と個別収納部との間に設けられており、この切込みを有することにより、個別収納部を個別に開封することができる。
【００２２】
切込みの長さは、直線カット性を有する蓋材が切断を開始する引き金となる限りにおいて、また蓋材を個々のサイズにカットした際に生じる細かなバリは含まないで、連結部フランジに対応する端部に意図的に設けられた切込みである限りにおいて、特に限定されるものではないが、長さの下限は１ｍｍ以上が好ましく、３ｍｍ以上が更に好ましく、５ミリ以上が最も好ましい。切込みの長さの上限は、特に限定されるものではなく、包装容器の大きさなどを考慮し、適宜決定することができるが、連結部蓋材の一方の端部から他方の端部の長さの１／２以下が好ましく、１／４以下が更に好ましく、１／５以下が好ましい。具体的な長さとしては、３ｃｍ以下が好ましく、２ｃｍ以下がより好ましく、１．５ｃｍ以下が更に好ましい。切込みが長すぎると、製造工程が煩雑になることや、全体開蓋用耳部より全体を一度に開封する場合に、途中で蓋材が破断してしまう可能性がある。
【００２３】
一方で、図８に示すように、その切込み１５の長さは、開封しようとする収容部の個別開蓋用耳部１１と、その隣の開封しない収容部のシール部１３を最短距離で結ぶ直線１７に至る長さを有することが好ましい。この、「直線に至る長さを有する」とは、切込みの長さが、連結部蓋材の切込みのある側から、切込みがない連結部蓋材の方向に向かって、前記直線に至るまで切り込まれるか、又は前記直線を超えて切り込まれることを意味する。すなわち、切込みの奥側先端部が、前記直線上、又は前記直線よりも蓋材中央側に位置していることを指している。それにより、隣の収容部のシール部に力がかかると同時、又はその前に、切込みの奥側先端部に力がかかり裂けるため、隣の収容部のシールが開封されることがないためである。
【００２４】
なお、隣接する個別収納部のシールが連結している場合には、２つの個別収容部の間にある切込み、および切込みの奥側先端部から切込みがない連結蓋材側に向かって、蓋材の直進カット性の方向に沿って引くことが出来る分離想定線１８により、開封しようとする収容部のシール部と、開封しない収容部のシール部とを区別することができる。
したがって、図９に示すように、隣接する個別収納部のシールが個別収納部の間の全部で連結している場合には、前記「その隣の開封しない収容部のシール部を最短距離で結ぶ直線１７」は、切込みを長くした場合の連結シール部との交点とを結ぶ直線に一致し、前記「直線に至る長さを有する」とは、切込みが、連結シール部（直線）に至るまで切り込まれるか、又は前記連結シール部（直線）を超えて切り込まれることを実質的に意味することとなる。
また、隣接する個別収納部のシールが個別収納部の間の一部で連結している場合には、連結していない部分のシール部と、切込みを長くした場合の連結しているシール部との交点とを含めて、前記「最短距離で結ぶ直線」を決定すればよい。
【００２５】
一方、連結部蓋材の他方の縁部には切込みを有さない。従って、連結部蓋材の他方の縁部に切込みを有さないことにより、対抗する蓋材の他方の縁部から蓋材が切断されることがない。後述のように、対抗する蓋材周辺部にある全体開蓋用耳部から、収納部全体を開封するが、連結部蓋材の他方の縁部には切込みを有さないために、直線カット性フィルムが他方の縁部から切断されることがなく、収納部全体を確実に開封することができる。
「切込みを有さない」とは、周辺シール部との位置や強度の関係において、全体開蓋用耳部より一度に全体を開封する上で、蓋材の全体を開封する側の端部が途中で切断されないことを意味し、全体開蓋用耳部より一度に全体を開封することができる限りにおいて、小さな切込みや凹形状、ギザギザ形状等を全て排除するものではない。
【００２６】
（ミシン目）
本発明の包装容器においては、前記連結部蓋材にミシン目を有さない。従って、連結部蓋材の他方の縁部から蓋材が切断されることがない。本発明においては、全体開蓋用耳部から、収納部全体を開封するが、連結部蓋材にミシン目を有さないために、直線カット性フィルムが他方の縁部から切断される事故が起きることがなく、収納部全体を確実に開封することができる。
なお、本明細書において、ミシン目とは直線カット性を有さないラミネートフィルムを直線的に切断することのできるミシン目の切込線、又は溝状の切込線などを意味する。すなわち、本明細書において、直線カット性を有さないラミネートフィルムを直線的に切断することのできない程度の切込み線は、ミシン目を意味しない。
【００２７】
（開蓋用耳部）
本発明においては、前記切込みを有する側の周辺部蓋材（以下、切込み側周辺部蓋材と称することがある）に各容器ポケットの上面の蓋材を個別に開封する個別開蓋用耳部を有する。一方、前記切込みを有さない側の周辺部蓋材（非切込み側周辺部蓋材と称することがある）に端部に全ての容器ポケットの上面の蓋材をまとめて開く全体開蓋用耳部を有する。
個別開蓋用耳部は、収納部本体の個別の収納部に対応する蓋材（以下、個別収納部蓋材と称することがある）に設けられるものである。具体的には、個別開蓋用耳部は、各個別収納部蓋材の切込み側周辺部蓋材の部分に１つ又は２つ設けることができ、その部分は周辺部フランジにシールされていない。
全体開蓋用耳部は、非切込み側周辺部蓋材の端部に１つ又は２つ設けることができ、この部分は周辺部フランジにシールされていない。更に、例えば４つの個別収納部を有する包装容器において、１つの個別収納部の蓋材が開封された後に残った３つの個別収納部を一度に開封する耳部を全体開蓋用耳部と称してもよい。この３つの個別収納部を開封する全体開蓋用耳部は、非切込み側周辺部蓋材の端部に両側に２つ存在し、この部分は周辺部フランジにシールされていない。
【００２８】
（シール）
本発明においては、容器ポケットの周辺部フランジにおける開口部周囲と、それに対応する蓋材とがシールされている。
シールは、少なくとも容器ポケットを封止するようにシールされ、容器ポケットの中の収納物が密封されている限りにおいて、限定されるものではない。例えば、容器ポケットの開口部周囲のフランジのみがシールされてもよく（図１）、容器ポケットと容器ポケットの間の連結部フランジと、連結部蓋材との一部又は全部がシールされてもよい(図２)。すなわち、２つの容器ポケットの間の連結部フランジと連結部蓋材とのシールが結合してもよい。
図１に記載の態様は、隣接する個別収納部のシールが連結していない態様である。また、図２に記載の態様は、隣接する個別収納部のシールが２つ以上の個別収納部の間の一部又は全部で連結している態様であるが、図２に示すように連結が連続的にされていてもよく、図には示していないが、連結されている部分と連結されていない部分が断続的に存在する態様でもよい。
【００２９】
また、前記切込みとシールとの関係においては、切込みから対向する蓋材の縁部に延びる切断線の部分がシールされていてもよく（図２）、切断線の部分がシールされていなくてもよい(図１)。シールされていない場合は、切断線が斜めになった場合に、シール部において斜め切れが止まることがある。一方、シールされている場合は、フィルムがフランジに結合しているため、力の働きが安定して、スムーズに切断される。
【００３０】
容器から蓋材が剥がれる際のシール強度は、特に限定されるものではないが、少なくとも、個別開蓋用耳部より蓋材を剥がした際の、直線カット性ラミネートフィルムの直線カットにおける切込みをきっかけとした引き裂き強度よりも強いことが望ましい。すなわち、シール強度が引き裂き強度よりも強い場合は、隣接する開封しない個別収納部のシールがはがれることなく、直線カット性ラミネートフィルムが引裂かれ、開封する個別収納部の蓋材のみが開封される。しかし、シール強度が引き裂き強度よりも弱い場合は、直線カット性ラミネートフィルムが引裂かれることなく、隣接する開封しない個別収納部のシールがはがれる開封されることがあるからである。
【００３１】
本発明の切込みをきっかけとした引き裂き強度は、シールされた蓋材の連結部端部にある切込みを引き裂く時の強度をさし、詳しくは、開封する個別収納部の個別開蓋用耳部から開封した時に、開封しない個別収納部が開封しない状態で引き裂かれる引き裂き強度をさす。
【００３２】
《２連以上の包装容器》
本発明の包装容器は、前記個別収納部が一列に連結された包装容器を、２つ以上組み合わせた２連以上の包装容器でもよい。例えば、本発明の２連の包装容器は、前記包装容器が、２つ組み合わされた包装容器であって、（１）２つの包装容器それぞれの切込みを有さない側の周辺部フランジ同士が連結され、そして（２）２つの包装容器の間の周辺部蓋材が連結していないものを挙げることができる。
更に、２連の包装容器は、（１）２つの包装容器それぞれの切込みを有する側の周辺部フランジ同士が連結され、そして（２）２つの包装容器の間の周辺部蓋材が連結していないものを挙げることができる。
更に、２連の包装容器は、（１）２つの包装容器の切込みを有する側の周辺部フランジと、切込みを有する側の周辺部フランジが連結され、そして（２）２つの包装容器の間の周辺部蓋材同士が連結していないものを挙げることができる。
なお、いずれの場合においても、２つの包装容器の周辺部蓋材が連結していても、連結部にミシン目を有することにより２つの蓋材が切断可能なものでもよい。
【００３３】
更に、本発明の包装容器は、前記個別収納部が一列に連結された包装容器を、３つ組み合わせた３連の包装容器でもよい。３連の包装容器の平面図を図５に、底面図を図６に示す。２つの包装容器は切込みを有する側の周辺部フランジ同士、切込みを有さない側の周辺部フランジ同士、切込みを有する側の周辺部フランジと切込みを有さない側の周辺部フランジとが連結されたもののいずれでも構わない。
【００３４】
本明細書において、２連以上の連結包装容器における、周辺部フランジの連結部を「マルチ連結部フランジ」と称する。このマルチ連結部フランジの連結は、特に限定されるものではない。例えば、収納部本体を作製する場合に、最初から切込みを有さない側の周辺部フランジが連結しているように作成してもよく、２つの包装容器を連結してもよい。
また、本明細書において、前記マルチ連結部フランジに対応する蓋部を、マルチ連結部蓋部と称する。マルチ連結部蓋部は、マルチ連結部蓋部を挟んで両側に存在する蓋部を、それぞれ開封するために個別開蓋用耳部又は全体開蓋用耳部を有する。従って、マルチ連結部蓋部は、両側に存在する蓋部が分離され、連結されていないものが好ましい。しかしながら、マルチ連結部蓋部にミシン目などを有し、両側に存在する蓋部がそれぞれ開封できる限りにおいて、両側の周辺部蓋材同士が連結してもよい。
【００３５】
《実施態様》
以下、本発明の実施態様を、図を用いて説明する。
図１は、容器ポケットの開口部周囲のフランジと蓋材とがシールされた実施態様を示した上方からの斜視図である。図２は、容器ポケットと容器ポケットの間の連結部フランジと連結部蓋材とのほぼ全部がシールされた実施態様を示した上方からの斜視図である。
図３は、収納部本体の連結部フランジにミシン目を有さない実施態様を示した下方からの斜視図である。図４は、収納部本体の連結部フランジにミシン目を有する実施態様を示した下方からの斜視図である。
図１〜４は、長方形の収納部４つを並列に連結した長方形の収納部本体２を有する包装容器である。各収納部は容器ポケット２１を有しており、容器ポケットの開口部の周辺縁部にフランジ（連結部フランジ２２、周辺部フランジ２３）を有する。各収納部は、それぞれ容器ポケット２１を有しており、容器ポケットにカレー又はシチューの固形ルウなどの収納物が収納される。
【００３６】
４つの収納部が連結された収納部本体２における各容器ポケットは、連結部フランジ２２によって連結されている。また、収納部本体２は、周辺部フランジ２３によって囲まれている。収納部本体２は、図３に示す連結部フランジ２２にミシン目２４を有していない実施態様、及び図４に示す連結部フランジに２２にミシン目２４を有している実施態様がある。連結部フランジ２２にミシン目２４を有してない場合、収納部本体２の強度を向上させることが可能である。一方、連結部フランジに２２にミシン目２４を有している場合、内容物を使い終わった収納部を、取り外して廃棄することができる。
【００３７】
蓋材１は、図１に示すように容器ポケットの開口部周囲のフランジと蓋材とがシール１３により接着されていてもよく、図２に示すように容器ポケットと容器ポケットの間の連結部フランジと連結部蓋材との一部又は全部がシール１３により接着されてもよい。
【００３８】
蓋材１は連結部フランジに対応する連結部蓋材１４の一方の端部に切込み１５を有している。一方、連結部蓋材の他方の端部には切込みを有さない。この切込み１５は、収納部本体２の収納部と収納部との間に設けられており、この切込み１５を有することにより、この切込み１５から他方の端部に蓋材が直線的に切断され、収納部を個別に開封することができる。
【００３９】
蓋材１の周辺は、周辺部蓋材１６に覆われており、特に切込みを有する側の周辺部蓋材を切込み側周辺部蓋材１６ａと称し、切込みを有さない側の周辺部蓋材を非切込み側周辺部蓋材１６ｂと称する。
【００４０】
前記切込み側周辺部蓋材１６ａには、収納部別に個別開蓋用耳部１１が設けられる。この個別開蓋用耳部１１からシールを剥離することによって個別の収納部を開封することができる。
一方、非切込み側周辺部蓋材には全体の蓋材を開封するために、全体開蓋用耳部１２が設けられる。この全体開蓋用耳部１２からシールを剥離することにより全部の収納部の蓋材を一度に開封することができる。
【００４１】
図５及び６に３連の包装容器の態様を示す。一番上の包装容器と、２番目の包装容器とは、切込みを有さない側の周辺部フランジと、切込みを有する側の周辺部フランジとで連結されている。また、２番目の包装容器と３番目の包装容器とは、切込みを有さない側の周辺部フランジと切込みを有さない側の周辺部フランジとで連結されている。そして、それぞれの周辺部蓋材は、分離しているものである。
【産業上の利用可能性】
【００４２】
本発明の包装容器は、食品、又は医薬品などの包装容器として用いることができる。特には、収納物を１つずつ使用したい場合、又は全部をまとめて使用した場合に、収納部を個別に開封することができ、且つ収納部全体を確実に開封することができる。
【符号の説明】
【００４３】
１・・・蓋材；
１１・・・個別開蓋用耳部；
１２・・・全体開蓋用耳部；
１３・・・シール；
１４・・・連結部蓋材；
１５・・・切込み；
１６・・・周辺部蓋材；
１６ａ・・・切込みを有する側の周辺部蓋材；
１６ｂ・・・切込みを有さない側の周辺部蓋材；
１７・・・個別開蓋用耳部と隣接するシール部を最短距離で結ぶ直線；
１８・・・分離想定線
２・・・収納部本体；
２１・・・容器ポケット；
２２・・・連結部フランジ；
２３・・・周辺部フランジ；
２４・・・ミシン目；
【図１】
2015107818.tif 000003
【図２】
2015107818.tif 000004
【図３】
2015107818.tif 000005
【図４】
2015107818.tif 000006
【図５】
2015107818.tif 000007
【図６】
2015107818.tif 000008
【図７】
2015107818.tif 000009
【図８】
2015107818.tif 000010
【図９】
2015107818.tif 000011